(57)【要約】【課題】  携帯性が飛躍的に優れ、安価であり、局部を少量の水で効率良く洗浄でき、廃棄が容易な使い捨て携帯用局部洗浄具を提供する。【解決手段】  可撓性合成樹脂シートで中央にくびれ形を有する一升瓶断面形状に袋状溶着成形された貯水袋１と、同貯水袋に開口された給排水口７と、水を射出するチップ成形されたノズルを溶着させた射出ノズル４とを配設した一体袋構造で、給排水口７には密閉可能な蓋３を有し、射出ノズル４には止水蓋４１を有する。特に、溶着された射出ノズル４には、連結されたタブ付きノズル止水蓋が配設され、連結部はリブ付きＹ形連結部４２を配し、止水蓋栓部には結合ロック部とを有し、傾斜ノズル孔４３にはテーパー部４４を連設している。【選択図】図１
2011245249.tif 000002
【特許請求の範囲】
【請求項１】
可撓性合成樹脂シート製で、中央にくびれを有する袋状に溶着成形された貯水袋（１）と、前記貯水袋の端部に配設された給排水口（７）と、前記端部と逆の端部にチップ成形された射出ノズル（４）と、を有することを特徴とする携帯用局部洗浄具。
【請求項２】
射出ノズルは、射出ノズル水平面に対し約１０５°の傾斜角に設定された孔径１．５〜２．５ｍｍφの傾斜ノズル孔（４３）と、貯水袋方向にラッパ状に広がる、前記傾斜ノズル孔と貯水袋とを連結するテーパー部（４４）と、前記傾斜ノズル孔の内側に結合する、前記孔径より０．２ｍｍ大きい外径の止水蓋栓結合ロック（４６）を有するタブ付き止水蓋（４１）と、を備えることを特徴とする請求項１に記載の携帯用局部洗浄具。
【請求項３】
給排水口には、２列の嵌合式ファスナーと、スナップボタンが配設され、給排水口から貯水袋に至る部分が捲着可能であることを特徴とする請求項１又は２いずれかに記載の携帯用局部洗浄具。
【請求項４】
可撓性合成樹脂シート製で、中央にくびれを有する袋状に溶着成形された貯水袋（１）と、前記貯水袋の端部に配設された給排水口（７）と、前記端部と逆の端部に、鳥のくちばし状で貯水袋の水平面に対し約１０５°の傾斜角を有する孔径１．５〜２．５ｍｍφの射出ノズル（４）と、前記射出ノズルの先端のノズル開封蓋（９）と、を有することを特徴とする携帯用局部洗浄具。
【請求項５】
貯水袋には、中央から射出ノズル方向に、先細りのＶ字形状の流路（２）が形成されていることを特徴とする請求項１〜４いずれかに記載の携帯用局部洗浄具。
【発明の詳細な説明】
【技術分野】
【０００１】  本発明は、局部洗浄具であって、特に、コンパクトに折り畳め、携帯性が優れた使い捨て局部洗浄具に関するものである。
【背景技術】
【０００２】  携帯用の局部洗浄具には、電動式と手動式の洗浄具が存在する。【０００３】  電動式では、モーター、同モーターを駆動するための電池、水を蓄える貯水容器及び水を射出する射出ノズルから成り、使用する際には、貯水容器に水を入れ、スイッチで電源を入力することによりモーターを駆動させ、射出ノズルより水を射出して局部の洗浄を行なう（例えば、特許文献１参照。）。【０００４】  手動式では、可撓性の貯水容器に射出ノズルを配設して、同貯水容器に水を入れ、押圧することによって射出ノズルより水を射出し、局部の洗浄を行なう携帯用の局部洗浄具がある（例えば、特許文献２参照。）。また、貯水容器に手動空気ポンプと射出ノズルを配設し、貯水容器に空気ポンプで空気を送り圧縮された空気を使用して水を射出ノズルより射出し、局部の洗浄を行なう携帯用の局部洗浄具も開示されている（例えば、特許文献３参照。）。
【先行技術文献】
【特許文献】
【０００５】
【特許文献１】特許第３４８８３５６号公報
【特許文献２】特開２０００−１３９７６０号公報
【特許文献３】特許第３０８０８６９号公報
【発明の概要】
【発明が解決しようとする課題】
【０００６】  しかし、電動式の携帯性では、貯水容器、射出ノズル及び電池を配設するための空間が必要であるために、製品サイズが大きくなり、各部品の重量によって製品重量が重く、携帯性に優れているものではない。また、貯水容器内部の雑菌繁殖と外部の雑菌付着、局部洗浄後の射出ノズルの雑菌消毒対策に衛生管理上の問題がある。【０００７】  また、貯水容器を可撓性の容器にした携帯用局部洗浄具では、重量は軽減できるが、貯水容器部分あるいは射出ノズル部分が大きく、形状も携帯性に優れているものではなく、上述した電動式同様、貯水容器内部の雑菌繁殖と外部の雑菌付着、局部洗浄後の射出ノズルの雑菌消毒対策に衛生管理上の問題がある。【０００８】また、貯水容器に手動空気ポンプと射出ノズルを配設した携帯用局部洗浄具においても、上述手動式と同様であり、携帯性を損なうと共に、貯水容器内部の雑菌繁殖と外部の雑菌付着、局部洗浄後の射出ノズルの雑菌消毒対策に衛生管理上の問題がある。【０００９】  本発明は、上記の問題点に鑑みて、貯水容器、射出ノズルも含め軽量コンパクトに細かく折り畳みができることや、筒状に捲いた状態でもかさばらずにポケットに収納できる携帯性が飛躍的に優れた機能を保持し、低コストで製作でき、特に、使用後に分別廃棄することも無く、簡単に使い捨てすることができるとともに、使い捨てをする事により雑菌消毒など衛生管理も必要としない把持押圧型携帯用使い捨て局部洗浄具を提供することを目的とする。
【課題を解決するための手段】
【００１０】  本発明の携帯用局部洗浄具は、上記の課題を解決するため、第１の手段は、可撓性合成樹脂シート製で、中央にくびれを有する袋状に溶着成形された貯水袋１と、前記貯水袋の端部に配設された給排水口７と、前記端部と逆の端部にチップ成形された射出ノズル４と、を有することを特徴とする。【００１１】  第２の手段は、第１の手段に記載の携帯用局部洗浄具であって、射出ノズルは、射出ノズル水平面に対し約１０５°の傾斜角に設定された孔径１．５〜２．５ｍｍφの傾斜ノズル孔４３と、貯水袋方向にラッパ状に広がる、前記傾斜ノズル孔と貯水袋とを連結するテーパー部４４と、前記傾斜ノズル孔の内側に結合する、前記孔径より０．２ｍｍ大きい外径の止水蓋栓結合ロック４６を有するタブ付き止水蓋４１と、を備えることを特徴とする。【００１２】  第３の手段は、第１又は第２の手段のいずれかに記載の携帯用局部洗浄具であって、給排水口には、２列の嵌合式ファスナーと、スナップボタンが配設され、給排水口から貯水袋に至る部分が捲着可能であることを特徴とする。【００１３】  第４の手段は携帯用局部洗浄具であって、可撓性合成樹脂シート製で、中央にくびれを有する袋状に溶着成形された貯水袋１と、前記貯水袋の端部に配設された給排水口７と、前記端部と逆の端部に、鳥のくちばし状で貯水袋の水平面に対し約１０５°の傾斜角を有する孔径１．５〜２．５ｍｍφの射出ノズル４と、前記射出ノズルの先端のノズル開封蓋９と、を有することを特徴とする。【００１４】  第５の手段は、第１〜４の手段のいずれかに記載の携帯用局部洗浄具であって、貯水袋には、中央から射出ノズル方向に、先細りのＶ字形状の流路２が形成されていることを特徴とする。
【発明の効果】
【００１５】  本発明は、可撓性合成樹脂シート、例えば、ポリエチレン又は軟質塩化ビニールで、中央に把持しやすくする為のくびれ形を有する一升瓶断面形状に袋状溶着成形された貯水袋と、同貯水袋に水を出し入れするため開口された給排水口と、水を射出するチップ成形されたノズルを溶着させた射出ノズルとを配設した一体袋構造で、給排水口には密閉可能な蓋を有する。また、射出ノズルには洗浄時に取り外すノズル止水蓋を有している。このように、軽量で射出ノズルも含めた一体袋構造の携帯用使い捨て局部洗浄具とすることにより、コンパクトに細かく折り畳みができ、筒状に巻いた状態でもかさばらずにポケットに収納でき、携帯性を飛躍的に向上させることができる。【００１６】  配設する部品点数を少なくしたシンプル構造なので、製品を安価に製作できるとともに、使い捨てとすることで、器具の雑菌汚染による感染症予防のための衛生管理対策も不要であり、分別廃棄の手間もなく簡単に捨てられる。【００１７】  さらに、袋状に溶着成形された形状はシンプルであり、貯水袋部位に把持する為のくびれ形状と貯水袋部位端から頂点部の射出ノズル配設部位にかけて、水圧確保と操作性を良くするためのＶ字形状の流路を設けてあり、頂点部に配設された射出ノズルに至るまで中間に水流を阻害するものが配設されていないので、把持押圧したとき射出ノズルからの吐出水の射出はきわめてスムーズであり、なお且つ、Ｖ形状の流路が水圧で棒状に膨張硬化するので、射出ノズルのフラつきによる射出水の方向変化が抑えられ、適度な水圧を効率良く確保し、局部の洗浄性をより高める効果があるのと、チップ成形されたノズル傾斜孔には、傾斜と射出圧力を高めるテーパー部を並設配してあるので、把持押圧洗浄時、手、腕を無理に曲げたりひねったりしなくても、ノズルより適度な圧力で射出される水が局部に当たり、楽な姿勢でより効率良く局部洗浄ができる。
【図面の簡単な説明】
【００１８】
【図１】  第１実施形態の携帯用局部洗浄具の斜視図である。
【図２】  第１実施形態において水を充填した捲着した給排水口図である。
【図３】  第１又は第３実施形態の捲着した給排水口の拡大断面図である。
【図４】  第２実施形態の携帯用局部洗浄具の斜視図である。
【図５】  第２実施形態において水を充填した図である。
【図６】  第１又は第２実施形態の射出ノズル部開蓋時の水射出角度及び拡大断面構造図である。
【図７】  第１又は第２実施形態の射出ノズル部閉蓋時の拡大断面構造図である。
【図８】  第１又は第２実施形態の射出ノズル部閉蓋時の拡大斜視図である。
【図９】  第３実施形態の携帯用局部洗浄具の斜視図である。
【図１０】  第３実施形態の射出ノズル部の拡大図である。
【図１１】  第３実施形態の射出ノズル部の開封状態拡大図である。
【発明を実施するための形態】
【００１９】  本発明を実施するための形態を図に基づいて説明する。
【００２０】  〔第１実施形態〕
図１は、本発明の第１実施形態を示す携帯用使い捨て局部洗浄具であり、可撓性合成樹脂シート、例えば、ポリエチレン又は軟質塩化ビニールで中央に把持しやすくする為のくびれ把持部１３を有する一升瓶断面形状の袋状に溶着成形された貯水袋１に、水を出し入れするために開口された給排水口７とともに、水を射出するチップ成形されたノズルを溶着させた射出ノズル４を配設した一体袋構造で、給排水口７には密閉可能な蓋３と給排水口７を捲着固定用のスナップボタン凸１１及びスナップボタン凹１２とを有し、射出ノズル４には、水漏れを防止するために、洗浄直前に取り外すタブ付きノズルの止水蓋４１を有する。
【００２１】  図２は、本実施形態において約３５０ｍｌ水を充填した場合の捲着部１４の状態を示している。蓋３には、凹凸の嵌合式ファスナーが２列に配設されているのと、把持押圧時の水圧で前記ファスナーが外れる事を防止する為、捲着部１４には、スナップボタン凸１１及びスナップボタン凹１２が表裏に配設され捲着固定する事で、水路を狭めファスナーへの水圧が緩衝されファスナーが外れる事を防止している。なお、図３は捲着部１４の拡大断面図である。水充填量約３５０ｍｌは、把持押圧洗浄完了迄に１回当たり要する本実施形態での平均消費水量である。
【００２２】  図８に示すように、貯水袋１には上部くびれ端部から頂点部の射出ノズル４の配設部位にかけて、Ｖ字形状の流路２を設けてある。水圧で棒状に膨張硬化するので、射出ノズル４のフラつきによる射出水の方向変化が抑えられ、洗浄時に狭い便器内での洗浄具の操作性を良くし、さらに、本形状の流路２により射出水圧力を高める事ができる。
【００２３】  図７に示すように、貯水袋１の先端部にはチップ成形された射出ノズル４が溶着されている。チップ成形された傾斜ノズル孔４３には、射出圧力を高めるテーパー部４４を並配設してあり、なお且つ、把持押圧洗浄時にＶ字形状の流路２が水圧で棒状に膨張硬化するので、射出ノズル４のフラつきによる射出水の方向変化が抑えられるのと、少量の水で適度な水圧を効率良く確保し局部の洗浄性をより高める効果があり、本体のくびれ把持部１３を把持押圧する事で洗浄時に、手、腕を無理に曲げたりひねったりしなくても良く、ノズルより適度な圧力で射出される水が局部に当たり、楽な姿勢でより効率良く局部洗浄ができる。また、射出ノズル４には、水漏れ防止の取外しタブ４５が付いた止水蓋４１が連結され、ノズル傾斜孔４３に止水蓋栓結合ロック４６をされているので、水を充填し把持押圧洗浄する直前に、止水蓋４１を取り外して局部洗浄を行なう。
【００２４】  〔第２実施形態〕
図４は第２実施形態を示す。貯水袋１に開口された給排水口７を有した雄ねじ部８が溶着されており、雌ねじを有した密閉可能な蓋３で螺着可能に構成している。図５は密閉蓋を閉じて約３５０ｍｌ水を充填した状態を示している。
【００２５】  第１及び第２の実施形態の射出ノズル４について、図６を用いて詳述する。本図は開蓋時の拡大断面構造図である。溶着部５を有する貯水袋１の先端部には、可撓性合成樹脂、例えば、ポリエチレン又は軟質塩化ビニールでチップ成形された射出ノズル４が溶着されている。射出孔径が１．５〜２．５ｍｍφで、射出ノズル４の水平面に対して傾斜角が約１０５°に設定されるチップ成形された傾斜ノズル孔４３には、射出圧力を高めるため、傾斜ノズル孔４３に連設する底部が径約８ｍｍφのテーパー部４４を並配設してあり、小量の水で適度な水圧を効率良く確保し、局部の洗浄性をより高める効果がある。射出孔径１．５〜２．５ｍｍφの設定は、１．５ｍｍφより小さいと、射出水量の不足と洗浄時間を長く要して洗浄効率が劣り、２．５ｍｍφより大きいと、射出水量過多及び水圧不足で洗浄効率が劣ることに基づいている。また、射出された洗浄水は約１０５°の傾斜を保って射出されるので、本体のくびれ把持部１３を把持押圧する洗浄時に、手、腕を無理に曲げたりひねったりしなくても楽に局部に当たり、楽な姿勢でより効率良く局部洗浄ができる。射出ノズル４には、洗浄直前に取り外す連結された取外しタブ４５が付いた漏出防止用の止水蓋４１が配設され、連結部は連結を抜脱時に射出水路を確保するため、止水蓋装着後の連結部の経時的な曲がり癖による射出水路蓋被さりを抑制するため、変形防止リブ４７付きＹ字連結部４２を配設した。また、止水蓋栓結合ロック４６は、外径１．７〜２．７ｍｍφの結合ロック部を有し、洗浄時以外の蓋抜脱による漏出防止をしている。傾斜ノズル孔４３は、止水蓋栓結合ロック４６がされているので、水を充填し把持押圧洗浄する直前に、タブ４５を引き上げて止水蓋４１を抜脱し局部洗浄する。図７は、射出ノズルの閉蓋時の拡大断面構造図である。
【００２６】  〔第３実施形態〕
図９は本発明の第３実施形態を示している。上述した第１及び第２の実施形態と異なる点は、射出ノズル４を可撓性合成樹脂シートで袋状に溶着成形された貯水袋１に、くびれ端部から頂点部の射出ノズル４の配設部位にかけて、Ｖ字形状の流路２を設けてある。頂点部には、鳥のくちばし状の射出ノズル４と、洗浄直前に切り取るノズル開封蓋９が配設されている。鳥のくちばし状の射出ノズル４の流路のノズル傾斜孔は傾斜し、少ない水で射出圧力を高めるテーパー部を並配設してあり、なお且つ、本体のくびれ把持部１３を把持押圧する事で、把持押圧洗浄時にＶ字形状の流路２が水圧で棒状に膨張硬化するので、射出ノズルのフラつきによる射出水の方向変化が抑えられ、上述した射出ノズルの構造により少量の水で適度な水圧を得られ、効率良く楽な姿勢で局部の洗浄性を高める効果がある。図１０は射出ノズル４の拡大図である。また、図１１は射出ノズル部４の開封状態拡大図である。
【符号の説明】
【００２７】１    貯水袋
１１  スナップボタン凸
１２  スナップボタン凹
１３  くびれ把持部
１４  捲着部
２    流路
３    蓋
４    射出ノズル
４１  止水蓋
４２  Ｙ字連結部
４３  傾斜ノズル孔
４４  テーパー部
４５  取外しタブ
４６  止水蓋栓結合ロック
４７  変形防止リブ
５    溶着部
６    充填水
７    給排水口
８    雄ねじ部
９    ノズル開封蓋
【図１】
2011245249.tif 000003
【図２】
2011245249.tif 000004
【図３】
2011245249.tif 000005
【図４】
2011245249.tif 000006
【図５】
2011245249.tif 000007
【図６】
2011245249.tif 000008
【図７】
2011245249.tif 000009
【図８】
2011245249.tif 000010
【図９】
2011245249.tif 000011
【図１０】
2011245249.tif 000012
【図１１】
2011245249.tif 000013